(57)【要約】【課題】モジュールを所定の状態に容易に取り付けられる電子機器を提供する。【解決手段】一つの実施形態に係る電子機器は、筐体と、モジュールユニットと、実装部と、保持部とを具備する。前記モジュールユニットは、前記筐体の内部に収容され、突出部が設けられるとともに弾性を有したカバー部材と、前記カバー部材に嵌合されたモジュールと、を備える。前記実装部は、前記筐体の内部に設けられ、前記モジュールユニットが配置される。前記保持部は、前記実装部から突出して前記モジュールユニットを囲んで保持し、前記突出部が嵌め込まれた嵌合部が設けられる。前記突出部は、前記嵌合部から前記保持部の外に露出される。【選択図】    図１０
2012004451.tif 000002
【特許請求の範囲】
【請求項１】
筐体と、
前記筐体の内部に収容され、突出部が設けられるとともに弾性を有したカバー部材と、前記カバー部材に嵌合されたモジュールと、を備えたモジュールユニットと、
前記筐体の内部に設けられ、前記モジュールユニットが配置された実装部と、
前記実装部から突出し、前記モジュールユニットを囲んで保持した保持部と、
を具備し、
前記保持部は、前記突出部が嵌め込まれた嵌合部が前記保持部の周縁部に設けられ、前記嵌合部を規定するとともに前記保持部の周縁部に向かうに従って互いに離間した一対の縁部を有し、
前記突出部は、前記一対の縁部にそれぞれ当接し、前記嵌合部から前記保持部の外に露出された電子機器。
【請求項２】
前記保持部は、前記嵌合部が設けられた第１のリブと、前記第１のリブと対向した第２のリブとを含み、
前記モジュールユニットは、前記第１のリブと前記第２のリブとの間に挟まれており、前記突出部が設けられるとともに前記第１のリブに当接した第１の側面と、前記第１の側面の反対方向に位置するとともに前記第２のリブに当接した第２の側面と、を有した請求項１に記載の電子機器。
【請求項３】
前記モジュールユニットは、前記実装部に面した底面と、前記底面の反対方向に位置する頂面と、を有し、
前記第１の側面と前記第２の側面との間の長さは、前記底面と前記頂面との間の長さよりも短い請求項２に記載の電子機器。
【請求項４】
前記モジュールユニットの前記頂面を覆って前記保持部に取り付けられ、前記モジュールユニットを前記保持部に保持された状態に固定した固定部材をさらに具備した請求項３に記載の電子機器。
【請求項５】
前記固定部材は、前記モジュールユニットを前記実装部に向かって押圧した請求項４に記載の電子機器。
【請求項６】
前記モジュールは、柱状の胴部と、前記胴部に設けられるとともに前記胴部の外周から突出した張出部と、を有し、
前記カバー部材に、前記胴部が挿入された孔部と、前記張出部が係合する係合部とが設けられた請求項５に記載の電子機器。
【請求項７】
前記保持部は、前記第１のリブと前記第２のリブとともに前記モジュールユニットを囲む第３のリブを含み、
前記第３のリブと前記カバー部材との間の距離は、前記第３のリブと前記モジュールとの間の距離よりも近い請求項６に記載の電子機器。
【請求項８】
前記モジュールは、モータである請求項５に記載の電子機器。
【請求項９】
筐体と、
前記筐体の内部に収容され、突出部が設けられるとともに弾性を有したカバー部材と、前記カバー部材に嵌合されたモジュールと、を備えたモジュールユニットと、
前記筐体の内部に設けられ、前記モジュールユニットが配置された実装部と、
前記実装部から突出して前記モジュールユニットを囲んで保持し、前記突出部が嵌め込まれた嵌合部が設けられた保持部と、
を具備し、前記突出部は、前記嵌合部から前記保持部の外に露出された電子機器。
【請求項１０】
前記嵌合部は、前記保持部の周縁部に設けられた切欠であり、
前記保持部は、前記嵌合部を規定するとともに前記保持部の周縁部に向かうに従って互いに離間した一対の縁部を有し、
前記突出部は、前記一対の縁部にそれぞれ当接した請求項９に記載の電子機器。
【発明の詳細な説明】
【技術分野】
【０００１】
本発明の実施形態は、電子機器に関する。
【背景技術】
【０００２】
例えば携帯電話や携帯ゲーム機のような電子機器は、筐体の内部に振動機能用のモジュールを備えている。このモジュールは、例えばモータの回転軸に偏心錘を取り付けることで形成される。
【先行技術文献】
【特許文献】
【０００３】
【特許文献１】特開２００９−１１１１３号公報
【発明の概要】
【発明が解決しようとする課題】
【０００４】
この種の電子機器には、非常に小型のモジュールが用いられる。このような小型のモジュールは、筐体の内部に正しく取り付けることが難しい。例えば、所定の方向とは異なる方向を向いてモジュールが取り付けられるおそれがある。
【０００５】
本発明の目的の一つは、モジュールを所定の状態に容易に取り付けることができる電子機器を提供することにある。
【課題を解決するための手段】
【０００６】
一つの実施形態に係る電子機器は、  
筐体と、モジュールユニットと、実装部と、保持部とを具備する。前記モジュールユニットは、前記筐体の内部に収容され、突出部が設けられるとともに弾性を有したカバー部材と、前記カバー部材に嵌合されたモジュールと、を備える。前記実装部は、前記筐体の内部に設けられ、前記モジュールユニットが配置される。前記保持部は、前記実装部から突出して前記モジュールユニットを囲んで保持し、前記突出部が嵌め込まれた嵌合部が設けられる。前記突出部は、前記嵌合部から前記保持部の外に露出される。
【図面の簡単な説明】
【０００７】
【図１】実施の形態に係るポータブルコンピュータを示す斜視図。
【図２】実施形態のポータブルコンピュータを分解して示す斜視図。
【図３】実施形態のマスク部材を示す斜視図。
【図４】実施形態のマスク部材の一部を拡大して示す平面図。
【図５】実施形態のモジュールユニットを示す斜視図。
【図６】実施形態のモジュールユニットを分解して示す斜視図。
【図７】図４のＦ７−Ｆ７線に沿って示す断面図。
【図８】図４のＦ８−Ｆ８線に沿って示す断面図。
【図９】実施形態のマスク部材からモジュールユニットと固定部材とを除いて示す斜視図。
【図１０】実施形態のマスク部材から固定部材を分離した状態を示す斜視図。
【発明を実施するための形態】
【０００８】
以下に、一つの実施の形態について、図１から図１０を参照して説明する。なお、本明細書において、手前側（すなわちユーザ側）を前方向、ユーザから見て奥側を後方向、ユーザから見て左側を左方向、ユーザから見て右側を右方向、ユーザから見て上方を上方向、ユーザから見て下方を下方向と定義する。
【０００９】
図１は、ポータブルコンピュータ１を示す斜視図である。ポータブルコンピュータ１は、電子機器の一例である。図１に示すように、ポータブルコンピュータ１は、第１のユニット３と、第２のユニット４とを備えている。
【００１０】
第１のユニット３と第２のユニット４とは、ヒンジ機構６を介して連結されている。ヒンジ機構６は、第１の軸Ａｘ１回りに回動可能に第１のユニット３の端部に連結されている。ヒンジ機構６は、第２の軸Ａｘ２回りに回動可能に第２のユニット４の端部に連結されている。第１の軸Ａｘ１と第２の軸Ａｘ２とは、互いに平行に延びる軸である。
【００１１】
第１のユニット３と第２のユニット４とは、図１に示す展開状態と図示しない折畳状態との間で相対的に回動する。展開状態において、第２のユニット４は、第１のユニット３と隣り合う。折畳状態において、第２のユニット４は、第１のユニット３の上に重なる。
【００１２】
第１のユニット３は、偏平な箱状の第１の筐体１０と、タッチスクリーンモジュール１１とを備えている。第１の筐体１０は、筐体の一例である。タッチスクリーンモジュール１１は、例えば液晶ディスプレイの表示部に透明なタッチパネル１１ａを重ねて形成される。タッチスクリーンモジュール１１は、第１の筐体１０に収容されている。
【００１３】
第１の筐体１０の内表面１０ａに、第１の開口部１２が設けられている。内表面１０ａは、折畳状態において、第２のユニット４と対向する面である。第１の開口部１２は、タッチパネル１１ａを第１のユニット３の外に露出させる。
【００１４】
第２のユニット４は、偏平な箱状の第２の筐体１５と、ディスプレイモジュール１６とを備えている。ディスプレイモジュール１６は、例えば液晶ディスプレイである。ディスプレイモジュール１６は、第２の筐体１５に収容されている。
【００１５】
第２の筐体１５の内表面１５ａに、第２の開口部１７が設けられている。内表面１５ａは、折畳状態において、第１のユニット３と対向する面である。第２の開口部１７は、ディスプレイモジュール１６のスクリーン１６ａを第２のユニット４の外に露出させる。
【００１６】
図２は、ポータブルコンピュータ１を分解して示す斜視図である。図２に示すように、第１の筐体１０は、マスク部材２１と、ベース部材２２とを有している。マスク部材２１は、ベース部材２２に取り付けられる。タッチスクリーンモジュール１１は、マスク部材２１とベース部材２２との間に挟まれている。
【００１７】
図３は、マスク部材２１を示す斜視図である。図２に示すように、マスク部材２１は、第１の筐体１０の内表面１０ａを形成する。図３に示すように、マスク部材２１は、内表面１０ａの反対方向に位置する内面２１ａを有している。
【００１８】
図４は、マスク部材２１の一部を拡大して示す平面図である。マスク部材２１の内面２１ａに、実装部２５が設けられている。実装部２５は、第１の筐体１０の内部に設けられた内面２１ａの一部分である。なお、実装部２５は、マスク部材２１と別に設けられていても良い。
【００１９】
実装部２５に、保持部２６が設けられている。保持部２６に囲まれて、モジュールユニット２７が実装部２５に配置される。保持部２６には、モジュールユニット２７を覆って固定部材２８が取り付けられている。以下に、保持部２６、モジュールユニット２７、および固定部材２８について、それぞれ詳しく説明する。
【００２０】
モジュールユニット２７は、第１の筐体１０の内部に収容されている。モジュールユニット２７は、ポータブルコンピュータ１に対して小型に形成される。なお、モジュールユニット２７の大きさは、ポータブルコンピュータ１の大きさや用途などに応じて決められる。
【００２１】
図５は、モジュールユニット２７を示す斜視図である。図６は、モジュールユニット２７を分解して示す斜視図である。モジュールユニット２７は、カバー部材３１と、モジュール３２と、ケーブル３３とを備えている。モジュール３２は、カバー部材３１に嵌合されている。
【００２２】
モジュールユニット２７は、第１の側面３５と、第２の側面３６（図７に示す）と、第１の底面３７と、第２の底面３８と、頂面３９とを有している。第１の底面３７および第２の底面３８は、モジュールユニットの底面の一例である。
【００２３】
第２の側面３６は、第１の側面３５の反対方向に位置している。第１の底面３７は、曲面状に形成されている。第２の底面３８は、第１の底面３７から張り出して扁平に形成されている。
【００２４】
第１の底面３７および第２の底面３８は、それぞれ実装部２５に面する。第１の底面３７は、カバー部材３１の一方の端部３１ａの方向に位置している。第２の底面３８は、カバー部材３１の他方の端部３１ｂの方向に位置している。頂面３９は、第１の底面３７および第２の底面３８の反対方向に位置している。
【００２５】
モジュール３２は、いわゆる振動モータである。図６に示すように、モジュール３２は、胴部４１と、張出部４２と、回転軸４３と、偏心錘４４とを有している。胴部４１は、円柱状に形成されている。なお、胴部４１は円柱状に限らず、例えば角柱状のような他の形状であっても良い。
【００２６】
回転軸４３は、胴部４１の一方の端部４１ａから、胴部４１と同軸上に延びている。偏心錘４４は、回転軸４３に取り付けられている。張出部４２は、胴部４１の他方の端部４１ｂに設けられている。張出部４２は、胴部４１の外周から突出している。
【００２７】
ケーブル３３は、胴部４１の他方の端部４１ｂから延びている。図５に示すように、ケーブル３３の端部にはコネクタが設けられている。ケーブル３３は第１の筐体１０の内部に敷設され、例えばモジュール３２への信号入力に用いられる。
【００２８】
カバー部材３１は、例えば合成ゴムのような弾性を有する部材によって形成される。カバー部材３１は、モジュールユニット２７の第１の側面３５と、第２の側面３６と、第１の底面３７と、第２の底面３８と、頂面３９とを形成する。
【００２９】
カバー部材３１に、突出部４７と、孔部４８と、延出部４９と、係合部５１（図８に示す）とが設けられている。突出部４７は、第１の側面３５に設けられている。言い換えると、突出部４７は、カバー部材３１の一方の側面にのみ設けられている。
【００３０】
突出部４７は、頂面３９に近接した位置で第１の側面３５から突出している。図５に示すように、突出部４７は、第１の底面３７および第２の底面３８に頂点を向けた略三角形状に形成されている。
【００３１】
図７は、図４のＦ７−Ｆ７線に沿ってマスク部材２１とモジュールユニット２７と固定部材２８との一部を示す断面図である。図７に示すように、モジュールユニット２７の第１の側面３５と第２の側面３６との間の長さＷは、第１の底面３７と頂面３９との間の長さＨよりも短い。第１の側面３５と第２の側面３６との間の長さＷは、第２の底面３８と頂面３９との間の長さよりも短い。
【００３２】
図８は、図４のＦ８−Ｆ８線に沿ってマスク部材２１とモジュールユニット２７と固定部材２８との一部を示す断面図である。図８に示すように、孔部４８は、カバー部材３１の一方の端部３１ａから他方の端部３１ｂに亘って設けられている。
【００３３】
延出部４９は、カバー部材３１の他方の端部３１ｂから延出している。モジュールユニット２７の第２の底面３８は、延出部４９まで連続している。延出部４９の端部は、モジュール３２の端部よりも外側に位置する。
【００３４】
係合部５１は、孔部４８を規定するカバー部材３１の内周面３１ｃから窪んだ凹部である。係合部５１は、延出部４９に隣接する位置に設けられている。なお、係合部５１は、内周面３１ｃの別の位置や、延出部４９に設けられていても良い。
【００３５】
モジュール３２の胴部４１が、カバー部材３１の他方の端部３１ｂの方向から孔部４８に挿入される。胴部４１が孔部４８に挿入されると、張出部４２が係合部５１に係合する。張出部４２が係合部５１に引っ掛かるため、モジュール３２が孔部４８から抜けることが防止される。
【００３６】
図９は、マスク部材２１からモジュールユニット２７と固定部材２８とを除いて示す斜視図である。図９に示すように、実装部２５から保持部２６が突出している。保持部２６は、第１のリブ５５と、第２のリブ５６と、第３のリブ５７とを含んでいる。第２のリブ５６は、第１のリブ５５と対向する。
【００３７】
第１のリブ５５と、第２のリブ５６と、第３のリブ５７とは、それぞれ実装部２５から突出している。なお、第１のリブ５５と、第２のリブ５６と、第３のリブ５７とは、一体に設けられていても良い。第１のリブ５５と、第２のリブ５６と、第３のリブ５７とは、実装部２５に配置されたモジュールユニット２７を囲んでいる。
【００３８】
図７に示すように、第１のリブ５５は、モジュールユニット２７の第１の側面３５に当接する。第２のリブ５６は、モジュールユニット２７の第２の側面３６に当接する。第１のリブ５５と第２のリブ５６とは、モジュールユニット２７を挟んで保持する。
【００３９】
図８に示すように、第３のリブ５７は、延出部４９の端部と対向している。第３のリブ５７とカバー部材３１との間の距離Ｌ１は、第３のリブ５７とモジュール３２との間の距離Ｌ２よりも近い。なお、延出部４９は、第３のリブ５７に当接していても良い。モジュール３２は、第３のリブ５７から離間している。
【００４０】
図９に示すように、第１のリブ５５に、嵌合部６１が設けられている。嵌合部６１は、第１のリブ５５の先端部５５ａに設けられた切欠である。嵌合部６１は、第１のリブ５５にのみ設けられている。
【００４１】
第１のリブ５５の先端部５５ａは、保持部の周縁部の一例である。なお、嵌合部６１は、先端部５５ａに限らず、第１のリブ５５の他の場所に設けられていても良い。第１のリブ５５は、嵌合部６１を規定する一対の縁部６２を有している。
【００４２】
一対の縁部６２は、第１のリブ５５の先端部５５ａに向かうに従って互いに離間するように配置されている。一対の縁部６２がこのように配置されているため、嵌合部６１は、実装部２５に頂点を向けた略三角形状に形成される。嵌合部６１の形状は、カバー部材３１の突出部４７の形状に対応している。
【００４３】
図１０は、マスク部材２１およびモジュールユニット２７から、固定部材２８を分離した状態を示す斜視図である。図１０に示すように、嵌合部６１に、カバー部材３１の突出部４７が嵌め込まれる。
【００４４】
嵌合部６１の形状が突出部４７の形状に対応しているため、突出部４７は、一対の縁部６２にそれぞれ当接する。なお、突出部４７の形状は、嵌合部６１の形状と異なっていても良い。突出部４７は、嵌合部６１から保持部２６の外に露出されている。
【００４５】
図７に示すように、モジュールユニット２７が保持部２６に保持されてマスク部材２１に取り付けられていると、モジュールユニット２７は保持部２６から突き出ている。言い換えると、モジュールユニット２７の頂面３９は、保持部２６の先端部よりも、実装部２５から離れている。
【００４６】
第１のリブ５５は、一対の第１の爪部５５ｂを有している。一対の第１の爪部５５ｂは、第１のリブ５５からモジュールユニット２７の反対方向に向かってそれぞれ突出している。第２のリブ５６は、第２の爪部５６ａを有している。第２の爪部５６ａは、第２のリブ５６からモジュールユニット２７の反対方向に向かって突出している。
【００４７】
固定部材２８は、例えば金属製の板状の部材を折り曲げて形成されている。固定部材２８は、モジュールユニット２７の頂面３９を覆って、保持部２６に取り付けられる。固定部材２８は、モジュールユニット２７を保持部２６に保持された状態に固定する。
【００４８】
固定部材２８に、複数の係合孔６４が設けられている。係合孔６４は、第１の爪部５５ｂと第２の爪部５６ａとにそれぞれ対応する位置に設けられている。係合孔６４に第１の爪部５５ｂと第２の爪部５６ａとがそれぞれ嵌り込む。
【００４９】
固定部材２８は、保持部２６から突き出たモジュールユニット２７の頂面３９に当接している。固定部材２８は、モジュールユニット２７を実装部２５に向かって押圧する。このため、固定部材２８は、モジュールユニット２７を強固に固定する。これにより、モジュール３２が駆動した場合、振動がモジュール３２からカバー部材３１に良好に伝わる。
【００５０】
図９に示すように、実装部２５に補助リブ６６が設けられている。補助リブ６６は、第１のリブ５５と、第２のリブ５６と、実装部２５とに一体に設けられている。図７に示すように、補助リブ６６は、モジュールユニット２７を支持する。
【００５１】
図１０に示すように、実装部２５から一対の第４のリブ６８が突出している。一対の第４のリブ６８は、モジュールユニット２７の偏心錘４４を囲んでいる。第４のリブ６８は、偏心錘４４が回転しても偏心錘４４との間に隙間が存するように配置されている。なお、第４のリブ６８は、第１のリブ５５と第２のリブ５６と第３のリブ５７と、一体に設けられても良い。
【００５２】
前記構成のポータブルコンピュータ１によれば、モジュールユニット２７を囲んで保持する保持部２６に、嵌合部６１が設けられている。モジュールユニット２７が保持部２６に保持されると、モジュールユニット２７の突出部４７が嵌合部６１に嵌め込まれる。突出部４７は、保持部２６の外に露出される。
【００５３】
モジュールユニット２７がマスク部材２１に取り付けられる際には、嵌合部６１に突出部４７が嵌め込まれるように、モジュールユニット２７が保持部２６の第１のリブ５５と第２のリブ５６との間に押し込まれる。
【００５４】
モジュールユニット２７がマスク部材２１に正しく取り付けられると、突出部４７が嵌合部６１に嵌め込まれる。突出部４７が露出されているため、モジュールユニット２７がマスク部材２１に正しく取り付けられているかが容易に確認できる。このように、モジュール３２が所定の状態に容易に取り付けることができる。
【００５５】
もし、間違った位置又は方向でモジュールユニット２７が保持部２６に押し込まれると、突出部４７が例えば保持部２６に干渉する。もしくは、突出部４７が、嵌合部６１から外れた場所に位置する。このように、モジュールユニット２７の間違った取り付けが防止される。
【００５６】
一対の縁部６２は、第１のリブ５５の先端部５５ａに向かうに従って互いに離間するように配置される。このため、嵌合部６１が略三角形状に形成される。これにより、突出部４７の寸法公差の範囲を大きく取ったとしても、突出部４７を嵌合部６１に嵌め込むことができる。さらに、モジュールユニット２７を保持部２６に押し込む方向が明確になる。
【００５７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５８】
例えば、モジュールは回転軸に偏心錘が取り付けられた振動モータに限らず、円盤状の振動モータであっても良い。さらに、モジュールはモータに限らず、他のアクチュエータやスピーカなどであっても良い。
【符号の説明】
【００５９】
１…ポータブルコンピュータ，１０…第１の筐体，２５…実装部，２６…保持部，２７…モジュールユニット，３１…カバー部材，３２…モジュール，４７…突出部，５５ａ…先端部，６１…嵌合部，６２…縁部。
【図１】
2012004451.tif 000003
【図２】
2012004451.tif 000004
【図３】
2012004451.tif 000005
【図４】
2012004451.tif 000006
【図５】
2012004451.tif 000007
【図６】
2012004451.tif 000008
【図７】
2012004451.tif 000009
【図８】
2012004451.tif 000010
【図９】
2012004451.tif 000011
【図１０】
2012004451.tif 000012